(57)【特許請求の範囲】
【請求項１】
被施療者が着座する座部の外側に立設された内側仕切部と、
前記内側仕切部の外側に立設された外側仕切部と、
前記内側仕切部の外側面又は前記外側仕切部の内側面の少なくともいずれか一方に設け  られた施療部と、
前記内側仕切部及び前記外側仕切部に設けられ、前記内側仕切部の外側面と前記外側仕  切部の内側面を平行に保持し接離可能な可動部を備えた肘掛け部を有し、
前記内側仕切部と前記外側仕切部が、相対的に平行移動して被施療者の左右方向に開閉  自在であり、
前記可動部が、前記内側仕切部から外側に突設されたレールと、前記外側仕切部に設け  られ前記レールに摺動する突設部を備え、
前記外側仕切部の外側に前記レールを覆うように取り付けられた外装カバーが、前記内 側仕切部と前記外側仕切部が開いていると前記レールの外側端部からはみ出すことを特  徴とする椅子式マッサージ機。
【請求項２】
前記可動部が、前記内側仕切部の外側面に対して前記外側仕切部の内側面を移動させる  ことを特徴とする請求項１に記載の椅子式マッサージ機。
【請求項３】
前記内側仕切部の上側面又は前記外側仕切部の上側面の少なくともいずれか一方に設け  られ、前腕を載置しうる上方載置部を備えることを特徴とする請求項１又は請求項２に  記載の椅子式マッサージ機。
【請求項４】
前記施療部が、前方端部側から後方端部側の方向に複数連設されていることを特徴とす  る請求項１から請求項３のいずれかに記載の椅子式マッサージ機。
【請求項５】
前記内側仕切部の外側面の下部又は前記外側仕切部の内側面の下部の少なくともいずれ  か一方に設けられ、前腕を載置しうる下方載置部を備えることを特徴とする請求項１か  ら請求項４のいずれか一つに記載の椅子式マッサージ機。
【請求項６】
前記下方載置部に前記下方載置部を温める加温部が配設されていることを特徴とする請  求項５に記載の椅子式マッサージ機。
【請求項７】
前記施療部が、空気による膨張及び収縮を反復可能であるエアーバッグであることを特  徴とする請求項１から請求項６のいずれか一つに記載の椅子式マッサージ機。
【発明の詳細な説明】
【技術分野】
【０００１】
本発明は、被施療者が座る座部と、被施療者が凭れ掛けることができる背凭れ部などを備えた椅子式マッサージ機であって、被施療者の腕部を施療することができる肘掛け部も備える椅子式マッサージ機に関するものである。
【背景技術】
【０００２】
従来、椅子式マッサージ機において、傾倒可能な背凭れ部、座部、肘掛け部などを具備し、人体の腰部、背部、頸部、臀部、腕部などをマッサージするために電力により駆動する揉み玉や、圧縮空気を用いた空気圧の変化によって膨張又は収縮する袋体が内装されたものが広く知られている。
【０００３】
例えば、特許文献１には、腰掛けを可能とする座部と、座部の両側に被施療者の両腕を施療するための肘掛け部が開示されており、さらに、肘掛け部を構成する内側立上り壁と外側立上り壁が所定の間隔を保ち設けられている態様も開示されている。
【先行技術文献】
【特許文献】
【０００４】
【特許文献１】特開２０１３−２２４０４号
【発明の概要】
【発明が解決しようとする課題】
【０００５】
しかしながら、特許文献１のマッサージ機では、肘掛け部を構成する内側立上り壁と外側立上り壁が所定の間隔を保ち設けられているので左右方向の横幅が広くなるために、マッサージ機を家庭などに搬入する際に横幅の狭い玄関口や部屋の扉口にマッサージ機がつかえてしまい、所望の場所に移動させることが困難な場合があった。
【０００６】
本発明は、上記の問題点に鑑みて発明されたものであり、被施療者の両腕を施療することができる肘掛け部を有しながらも、家屋などの横幅の狭い玄関口や部屋の扉口に対してもつかえることがない、左右方向の横幅が短く簡潔な椅子式マッサージ機を提供することを課題とする。
【課題を解決するための手段】
【０００７】
〔１〕すなわち、本発明は、被施療者が着座する座部の外側に立設された内側仕切部  と、前記内側仕切部の外側に立設された外側仕切部と、前記内側仕切部の外側面又は前  記外側仕切部の内側面の少なくともいずれか一方に設けられた施療部と、前記内側仕切  部及び前記外側仕切部に設けられ、前記内側仕切部の外側面と前記外側仕切部の内側面  を平行に保ちながら近づかせ又は遠ざからせる可動部を備えた肘掛け部を有し、前記内  側仕切部と前記外側仕切部が、相対的に平行移動して被施療者の左右方向に開閉自在で  あり、前記可動部が、前記内側仕切部から外側に突設されたレールと、前記外側仕切部  に設けられ前記レールに摺動する突設部を備え、
前記外側仕切部の外側に前記レールを覆うように取り付けられた外装カバーが、前記内 側仕切部と前記外側仕切部が開いていると前記レールの外側端部からはみ出すことを特  徴とする椅子式マッサージ機である。
【０００８】
〔２〕そして、前記可動部が、前記内側仕切部の外側面に対して前記外側仕切部の内側面を移動させることを特徴とする前記〔１〕に記載の椅子式マッサージ機である。
【００１０】
〔３〕そして、前記内側仕切部の上側面又は前記外側仕切部の上側面の少なくともい  ずれか一方に設けられ、前腕を載置しうる上方載置部を備えることを特徴とする前記〔  １〕又は前記〔２〕に記載の椅子式マッサージ機である。
【００１１】
〔４〕そして、前記施療部が、前方端部側から後方端部側の方向に複数連設されてい  ることを特徴とする前記〔１〕から前記〔３〕のいずれか一つに記載の椅子式マッサー  ジ機である。
【００１２】
〔５〕そして、前記内側仕切部の外側面の下部又は前記外側仕切部の内側面の下部の  少なくともいずれか一方に設けられ、前腕を載置しうる下方載置部を備えることを特徴  とする前記〔１〕から前記〔４〕のいずれか一つに記載の椅子式マッサージ機である。  
【００１３】
〔６〕そして、前記下方載置部に前記下方載置部を温める加温部が配設されているこ  とを特徴とする前記〔５〕に記載の椅子式マッサージ機である。
【００１４】
〔７〕そして、前記施療部が、空気による膨張及び収縮を反復可能であるエアーバッ  グであることを特徴とする前記〔１〕から前記〔６〕のいずれか一つに記載の椅子式マ  ッサージ機である。
【発明の効果】
【００１５】
本発明の椅子式マッサージ機によれば、左右方向の横幅が短いので、被施療者の両腕を施療することができる肘掛部を有しながらも、家屋などの横幅の狭い玄関口や部屋の扉口に対してもつかえることがなく搬入することができる。
【図面の簡単な説明】
【００１６】
【図１】本件発明の椅子式マッサージ機の一実施形態の部分的な骨格において肘掛け部が閉じた状態示す全体斜視図である。
【図２】本件発明の椅子式マッサージ機の左側の肘掛け部において外装カバーを取り外し閉じた状態の斜視図である。
【図３】本件発明の椅子式マッサージ機の左側の肘掛け部において外装カバーを取り外し閉じた状態の平面図である。
【図４】本件発明の椅子式マッサージ機の一実施形態の部分的な骨格において肘掛け部が開いた状態を示す全体斜視図である。
【図５】本件発明の椅子式マッサージ機の左側の肘掛け部において外装カバーを取り外し開いた状態の斜視図である。
【図６】本件発明の椅子式マッサージ機の左側の肘掛け部において外装カバーを取り外し開いた状態の平面図である。
【発明を実施するための形態】
【００１７】
以下、本発明の椅子式マッサージ機を、図面に示す一実施形態に基づいてこれを詳細に説明する。図１は本件発明の椅子式マッサージ機の一実施形態において座部、脚載置部などやクッション材などを取り外し、左側の肘掛け部のみ残した部分的な骨格において、左側の肘掛け部が閉じた状態を示す全体斜視図である。そして、図２及び図３は、左側の肘掛け部において外装カバーなどを取り外して肘掛け部が閉じた状態を示す図である。図４は、本件発明の椅子式マッサージ機の一実施形態において座部、脚載置部などやクッション材などを取り外し、左側の肘掛け部のみ残した部分的な骨格において、左側の肘掛け部が開いた状態を示す全体斜視図である。そして、図５及び図６は、左側の肘掛け部において外装カバーなどを取り外して肘掛け部が開いた状態を示す図である。また、説明中における前後方向、左右方向、上下方向は、座部に着座した被施療者を基準としており、図３、図６における右側が外側（左方向）、紙面手前側が上方、紙面奥側が下方、上側が後方、下側が前方に相当する。
【００１８】
本件発明の椅子式マッサージ機は、図１、図４に示すように、被施療者の体重を支えたり各構成部材を支えたりして椅子式マッサージ機の土台を構成する複数の基礎フレームＦＦと、基礎フレームＦＦに接続され内部に被施療者の背中や首などを施療する図示しない施療子などを有する背凭れフレームＢＦを備えている。背凭れフレームＢＦは、基礎フレームＦＦに対して傾動することができ、被施療者は背凭れフレームＢＦを倒した状態で施療を受けることができる。
【００１９】
基礎フレームＦＦの上部には、図示しない座フレームを介して被施療者が着座する座部が設けられる。座部は、背凭れフレームＢＦの傾動と連動する座フレームの移動によって前後方向に移動することができる。
【００２０】
そして、基礎フレームＦＦの前方、すなわち、被施療者が着座したときの体が向いている方向に、被施療者の脚を載せることができる図示しない脚載置部が設けられている。脚載置部には、エアーバッグなどの施療部が設けられており、制御装置に内蔵された種々のプログラムによって、背凭れフレームＢＦに設けられた施療子と連動して、又は独立して、脚載置部に設けられた施療具によって被施療者の左右の腿、脛、足などを複合的にマッサージすることができる。
【００２１】
また、脚載置部が基礎フレームＦＦの前方に設けられているために、制御装置に内蔵された種々のプログラムによって、自動で又は手動で基礎フレームＦＦに対して回動することができる。例えば、背凭れフレームＢＦが立設しているときには、脚載置部も立設するようにし、背凭れフレームＢＦが傾倒しているときには、脚載置部を略水平となるように位置することもできる。
【００２２】
そして、基礎フレームＦＦ、座部の左右には、被施療者の手部、腕部などの前腕を施療する肘掛け部１を備えている。図１、図４では、基礎フレームＦＦ、座部の右側、すなわち、被施療者が着座したときの右腕側の肘掛け部は、左側の肘掛け部１と対称な構造を有しているので省略している。
【００２３】
そして、図２、図３、図５、図６に示すように、図１、図４の状態から肘掛け部１のみを取り出し、最も外側にある外装カバー８を取り外した状態において、肘掛け部１は、基礎フレームＦＦ、座部の外側に立設された内側仕切部２と、内側仕切部２の外側に立設された外側仕切部３を備えており、固設された内側仕切部２に対して外側仕切部３が、接近したり離れたりして開閉する。内側仕切部２に対して外側仕切部３が離れたときに生じる空間に被施療者の腕部を挿入することにより、その腕部を施療することができる。
【００２４】
内側仕切部２は、被施療者が着座する座部の外側に立設された部材である。本実施形態において、略垂直に立設し前後方向に沿った略板状の内側基部２１などを備えている。
【００２５】
また、内側仕切部２は、内側基部２１の下部に内側基部２１の長手方向に沿い外側に向かって延設された下方載置部７を備えている。下方載置部７は、被施療者が腕を施療するなどのときに、その腕を載置することができる箇所であり、長時間であっても疲れることなくその腕の施療を行うことができる。なお、本実施形態において、下方載置部７は、内側仕切部２にのみ設けられているが、他の実施形態において、外側仕切部３の下部のみ、又は、内側基部２１の下部及び外側仕切部３の下部の両方に設けることもでき、さらには、下方載置部７を設けないこともできる。
【００２６】
さらに、下方載置部７には、下方載置部７を温める図示しない加温部が内設されていてもよい。加温部としては、例えば、電源から供給される電流により発熱するニクロム線などの電熱線を使用することができ、寒い時期などに使用するときに被施療者の手部、腕部などの前腕を温めることができる。加温するか否かのスイッチが、被施療者の手元で操作できる遠隔制御装置などの制御装置等に設けられていることが好ましい。
【００２７】
内側仕切部２の内側基部２１上部が左右方向に所定の幅を有し略平坦である上方載置部６である。被施療者が腕を施療しないとき、すなわち、内側仕切部２と外側仕切部３が閉じているときには、内側基部２１の上部の上方載置部６と外装カバー８の上部の上方載置部６´に被施療者は腕を載置しておくことができる。内側仕切部２と外側仕切部３が閉じているときに被施療者の腕を載置しておくようにすることで、腕を載置しておける場所を確保しながらも椅子式マッサージ機の左右方向の幅を短くすることができるので、比較的狭い玄関口などでもスムーズに椅子式マッサージ機を搬入又は搬出することができる。
【００２８】
外側仕切部３は、内側仕切部２の外側に立設された部材である。本実施形態において、外側仕切部３は、内側基部２１と略平行な略板状の部材として設けられている。外側仕切部３の下部には、固定材３１を介して、レール５１に摺動する突設部が下方に突出して設けられている。
【００２９】
図１などに仮想線にて示す外装カバー８は、外側仕切部３の外側に下方載置部７を覆うように取り付けられる。外装カバー８の上部が左右方向に所定の幅を有し略平坦である上方載置部６´である。被施療者が腕を施療しないとき、すなわち、内側仕切部２と外側仕切部３が閉じているときには、内側基部２１の上部の上方載置部６と外装カバー８の上部の上方載置部６´に被施療者は腕を載置しておくことができる。なお、本実施形態において、上方載置部６、６´が、内側基部２１の上部の一部及び外装カバー８の上部に設けられているが、内側基部２１の上部又は外装カバー８の上部の少なくとも一方に設けられていてもよく、さらに、平坦な形状だけでなく湾曲した形状であってもよい。
【００３０】
図３から図６に示すように、施療部４は、内側仕切部２の外側面及び外側仕切部３の内側面、すなわち、内側仕切部２及び外側仕切部３の互いに対向する面に固設され、被施療者の手部、腕部などをマッサージする部材である。本実施形態において、施療部４は、図示しない円筒などの形状の管を介して図示しない給気排気装置に繋がれ、膨張及び収縮が可能であるエアーバッグとして構成されており、内側仕切部２及び外側仕切部３にそれぞれ２個ずつ前後方向に並設されている。本実施形態において、施療部４が内側仕切部２及び外側仕切部３にそれぞれ２個ずつ前後方向に並設されているが、他の実施形態において、１個の横長のエアーバッグを固設することができるし、また、３、４、５、６個など複数個前後方向に並設することもできる。２個以上の複数個の施療部４が並設されていると、被施療者の腰部、臀部などに対して複雑で効果的なマッサージを行うことができる。
【００３１】
また、本実施形態において、施療部４として膨張及び収縮が可能であるエアーバッグが設けられているが、他の実施形態において、電力により駆動する偏心モーターなどを備えることにより、被施療者に振動を与える振動器、また、同様に電力により駆動し、背部の施療子のような球形状、楕円球状、閉曲面からなる立体形状などの形状を有し被施療者の手部、腕部などの前腕を押圧する一対の施療子などを用いることができる。また、膨張及び収縮を反復可能であるエアーバッグ、被施療者に振動を与える振動器、被施療者を押圧する施療子を、単独で、又は２つ以上組み合わせて用いることもできる。
【００３２】
図２、図３、図５、図６に示すように、可動部５は、内側仕切部２及び外側仕切部３に設けられ、内側仕切部２の外側面と外側仕切部３の内側面、即ち、互いに対向する面を平行に保ちながら近づかせ又は遠ざからせる部材である。このため、内側仕切部２と外側仕切部３が、相対的に平行移動して被施療者の左右方向に開閉自在となっている。本実施形態において、可動部５は、内側仕切部２の外側面に対して外側仕切部３の内側面を移動させる部材であり、内側仕切部２のから外側に突設されたレール５１と、外側仕切部３に設けられレール５１に摺動する突設部５２を備えている。
【００３３】
レール５１は、内側仕切部２のから外側に突設された矩形状の部材であり、その中央には左右方向に長い長孔５１１が穿設されている。長孔５１１の左右方向の長さが、外側仕切部３の摺動範囲となる。本実施形態において、レール５１は、２本設けられているが、３本以上などさらに多く設けることもできる。
【００３４】
突設部５２は、外側仕切部３の下部に、固定材３１を介して設けられ、レール５１に摺動する部材である。突設部５２は、垂直断面がＩ字状をしており、長孔５１１と係止し長孔５１１からは脱落しないようになっている。突設部５２の下部がギアやシリンダーなどの装置と接続されているなどして、椅子式マッサージ機に供給される電力を動力として、被施療者が制御装置などによって手元で内側仕切部２と外側仕切部３が開閉するように操作する構成とすることができる。
【００３５】
本実施形態において、可動部５は、レール５１とそれに係止して摺動する突設部５２であるが、他の実施形態において、棒状部材をひし形に組み合わせて伸縮するパンタグラフとすることもできる。
【００３６】
下方載置部７、レール５１などは、外側仕切部３の外装カバー８によって隠されるように覆われているため、内側仕切部２と外側仕切部３が被施療者の前腕を挟持できるように開いていると、下方載置部７、レール５１などから外側にはみ出してしまい、椅子式マッサージ機を横幅の狭い玄関口などから搬送することが困難である。しかしながら、内側仕切部２と外側仕切部３を閉じていると、椅子式マッサージ機の左右方向の幅を縮められるので、椅子式マッサージ機を横幅の狭い玄関口などから搬送することができる。
【符号の説明】
【００３７】
１・・・肘掛け部
２・・・内側仕切部
２１・・・内側基部
３・・・外側仕切部
３１・・・固定材
４・・・施療部
５・・・可動部
５１・・・レール
５１１・・・長孔
５２・・・突設部
６、６´・・・上方載置部
７・・・下方載置部
８・・・外装カバー
ＦＦ・・・基礎フレーム
ＢＦ・・・背凭れフレーム
【図１】
0006543490.tif 000002
【図２】
0006543490.tif 000003
【図３】
0006543490.tif 000004
【図４】
0006543490.tif 000005
【図５】
0006543490.tif 000006
【図６】
0006543490.tif 000007